(57)【要約】【課題】負荷試験機能を備えた中継装置に関し、ネットワークテストツール（負荷試験機）を用いることなく、負荷試験を行うことを可能にする。【解決手段】受信回線インタフェース部２で受信された入力トラフィックを、通常トラフィック中継ルート６とは別にフレームコピー部７に取り込み、メモリ８に書き込む。保守者操作用端末１より発行された負荷レート及び負荷試験開始コマンドに応じて、メモリ制御部９は、トラフィック監視部１０で検出される出力トラフィックのレート値と負荷レート設定値と現在のメモリ８の読み出しタイミングとを基に、メモリ８の次の読み出しタイミングを算出し、メモリ８に蓄えられている現存トラフィックのフレームを読み出す。調停部１１は、メモリ８から読み出したトラフィックフレームを、運用中の通常トラフィックとの調停制御を行いながら、送信回線側インタフェース部３から対向装置へ送信する。【選択図】      図１
2006094088.tif 000002
【特許請求の範囲】
【請求項１】
受信回線インタフェース部で受信される対向装置からの入力トラフィックフレームを、スイッチ及び送信回線インタフェース部を介して、他の対向装置へ中継する中継装置において、
前記受信回線インタフェース部からの入力トラフィックフレームを複写するフレームコピー部と、
前記フレームコピー部で複写された入力トラフィックフレームを記憶保持するメモリと、
前記メモリに記憶保持された入力トラフィックフレームの読み出しを制御するメモリ制御部と、
前記中継装置から出力されるトラフィックのレートを監視するトラフィック監視部とを備え、
当該中継装置に接続された保守者操作用端末により設定された負荷試験レートと、前記トラフィック監視部で監視されるトラフィックのレートとを基に、前記メモリ制御部において算出した読み出しタイミングで、前記メモリに記憶保持されたトラフィックフレームを読み出して負荷試験トラフィックを生成出力することを特徴とする負荷試験機能を備えた中継装置。
【請求項２】
前記フレームコピー部で複写された入力トラフィックフレームを格納するフレーム制御部を備え、該フレーム制御部は、格納したトラフィックフレーム中の通信データ部分を識別し、該通信データ部分に、前記保守者操作用端末により設定された試験パターンを書き込んだ入力トラフィックフレームを、前記メモリへ出力することを特徴とする請求項１に記載の負荷試験機能を備えた中継装置。
【請求項３】
前記フレーム制御部は、格納したトラフィックフレームに、前記保守者操作用端末による設定に従ってエラーを設定した入力トラフィックフレームを、前記メモリへ出力することを特徴とする請求項２に記載の負荷試験機能を備えた中継装置。
【請求項４】
前記メモリに蓄えられた入力トラフィックフレームを監視するメモリ監視部を備え、該メモリ監視部は、前記メモリに蓄えられた入力トラフィックフレームの中から、前記保守者操作用端末により設定された入力トラフィックフレームを選択して読み出すことを特徴とする請求項１に記載の負荷試験機能を備えた中継装置。
【請求項５】
前記受信回線インタフェース部で受信される対向装置からの入力トラフィックフレームの他の対向装置への中継を停止する調停部を備え、前記保守者操作用端末により設定された負荷試験レートと、前記トラフィック監視部で監視されるトラフィックのレートとを基に、前記メモリ制御部において算出した読み出しタイミングで、前記メモリに記憶保持されたトラフィックフレームを読み出して負荷試験トラフィックを生成出力することを特徴とする請求項１に記載の負荷試験機能を備えた中継装置。
【発明の詳細な説明】
【技術分野】
【０００１】
本発明は、負荷試験機能を備えた中継装置に関し、特に、ネットワーク開通試験や障害切り分け試験等におけるトラフィック負荷試験機能を備えた中継装置に関する。
【背景技術】
【０００２】
図６は従来の中継装置の構成例を示す。従来の中継装置は、対向装置からの入力トラフィックを受信する受信回線インタフェース部２と、中継先の対向装置へ入力トラフィックを送信する送信回線インタフェース部３と、レイヤ２のプロトコルレベルにてトラフィックをスイッチングするレイヤ２スイッチ（Ｌ２ＳＷ）エンジン４と、保守者が制御／監視に使用する保守者操作用端末１と、該保守者操作用端末１と接続され該端末１からの操作情報を中継装置内のインタフェースに合わせて出力し、また、中継装置内情報を保守者操作用端末１のインタフェースに合わせて出力するユーザインタフェース部５とから構成される。
【０００３】
中継装置は、対向装置から入力されたトラフィックを中継先の対向装置へ転送する機能が主要な機能であることから、これらの中継装置を複数接続して構成したネットワークの開通試験や障害切り分け試験時には、別途、ネットワークテストツール（負荷試験機）を用意し、図７に示すように、ネットワークを構成する一つの中継装置７−１をネットワークテストツール（負荷試験機）７−２に切り替え、該ネットワークテストツール（負荷試験機）７−２を、ＩＰネットワーク網等を介して対向中継装置（被試験装置）７−３に接続して試験を行っていた。このように、従来は、中継装置のほかに備えたネットワークテストツール（負荷試験機）７−２を用いて試験を行う必要があった。
【０００４】
その他、本発明に関連する先行技術に関する文献として下記の特許文献１，２が挙げられる。特許文献１には、ＡＴＭ端末から発生させられる有効セルに負荷を与えることが可能で、セル廃棄数とセル遅延量との相関が生じ、実トラヒックに近い環境でＡＴＭ端末の性能評価が可能なＡＴＭ擬似交換機に関して記載されている。
【０００５】
また、特許文献２には、被試験通信装置とほぼ同じ機能の試験通信装置を使用すると共に、被試験通信装置及び試験通信装置の処理データを制御・データ収集装置で受信評価し、試験時間の短縮及び効率化を図った擬似呼試験方式について記載されている。
【特許文献１】特開平１０−１４５３８８号公報
【特許文献２】特開２０００−１２４９９９号公報
【発明の開示】
【発明が解決しようとする課題】
【０００６】
従来のネットワーク開通試験や障害切り分け試験時には、中継装置とは別個に設けたネットワークテストツール（負荷試験機）を用い、装置保守者により設定登録された負荷試験トラフィックを送出して試験を行っていた。ネットワークテストツール（負荷試験機）を用いて実際の運用に近いトラフィックの試験パターンを作成するに当たり、装置保守者は複雑なトラフィック設定操作を強いられ、また、該設定に人手が介在することによって人為的ミスを招く可能性があるものであった。
【０００７】
また、ネットワークテストツール（負荷試験機）を使用する際には、図７に示すように、運用中の中継装置７−１をネットワークテストツール（負荷試験機）７−２に置き換えるために、物理的に回線の接続替えを行う必要があり、それによって通常のサービス運用を継続すべきパスに影響を与えてしまうという問題を生じていた。
【０００８】
障害切り分け試験時等にネットワークテストツール（負荷試験機）を無人局舎に持ち込むことは、立地条件等の制約から実際の現場では至難な場合があり、このような保守作業環境下でのネットワークテストツール（負荷試験機）を持ち込んでの試験は、より厳しい困難な作業を伴うものとなっていた。更に、サービス運用開始前の事前検証試験等を行う場合に、高価なネットワークテストツール（負荷試験機）を予め揃えて置かなければならず、コスト面においても大きな負担となっていた。
【０００９】
本発明は、ネットワークテストツール（負荷試験機）を用いることなく、無人局舎等でのサービス運用開始前の事前検証試験や障害切り分け試験等の試験を行うことを可能にし、これによりネットワークテストツール（負荷試験機）の購入やレンタルに要するコストの節減、及び人手による試験環境構築作業の省略化によるコスト低減を図り、また、試験作業の効率向上及び人為的ミスの減少を図ることを目的とする。
【課題を解決するための手段】
【００１０】
本発明の負荷試験機能を備えた中継装置は、（１）受信回線インタフェース部で受信される対向装置からの入力トラフィックフレームを、スイッチ及び送信回線インタフェース部を介して、他の対向装置へ中継する中継装置において、前記受信回線インタフェース部からの入力トラフィックフレームを複写するフレームコピー部と、前記フレームコピー部で複写された入力トラフィックフレームを記憶保持するメモリと、前記メモリに記憶保持された入力トラフィックフレームの読み出しを制御するメモリ制御部と、前記中継装置から出力されるトラフィックのレートを監視するトラフィック監視部とを備え、当該中継装置に接続された保守者操作用端末により設定された負荷試験レートと、前記トラフィック監視部で監視されるトラフィックのレートとを基に、前記メモリ制御部において算出した読み出しタイミングで、前記メモリに記憶保持されたトラフィックフレームを読み出して負荷試験トラフィックを生成出力することを特徴とする。
【００１１】
また、（２）前記フレームコピー部で複写された入力トラフィックフレームを格納するフレーム制御部を備え、該フレーム制御部は、格納したトラフィックフレーム中の通信データ部分を識別し、該通信データ部分に、前記保守者操作用端末により設定された試験パターンを書き込んだ入力トラフィックフレームを、前記メモリへ出力することを特徴とする。
【００１２】
また、（３）前記フレーム制御部は、格納したトラフィックフレームに、前記保守者操作用端末による設定に従ってエラーを設定した入力トラフィックフレームを、前記メモリへ出力することを特徴とする。
【００１３】
また、（４）前記メモリに蓄えられた入力トラフィックフレームを監視するメモリ監視部を備え、該メモリ監視部は、前記メモリに蓄えられた入力トラフィックフレームの中から、前記保守者操作用端末により設定された入力トラフィックフレームを選択して読み出すことを特徴とする。
【００１４】
また、（５）前記受信回線インタフェース部で受信される対向装置からの入力トラフィックフレームの他の対向装置への中継を停止する調停部を備え、前記保守者操作用端末により設定された負荷試験レートと、前記トラフィック監視部で監視されるトラフィックのレートとを基に、前記メモリ制御部において算出した読み出しタイミングで、前記メモリに記憶保持されたトラフィックフレームを読み出して負荷試験トラフィックを生成出力することを特徴とする。
【発明の効果】
【００１５】
本発明は、通常のトラフィック中継ルートとは別に、負荷試験トラフィックフレーム挿入ルートを設け、運用中のトラフィックフレームの複写を通常トラフィックのフレーム間に挿入して、装置保守者が設定した負荷レートの負荷試験トラフィックが出力されるよう、負荷トラフィックの生成・送出を行うことにより、ネットワークテストツール（負荷試験機）を用いることなく負荷試験を実施することができ、無人局舎などでの運用開始試験や障害切り分け試験時に発生するネットワークテストツール（負荷試験機）を用意する必要が無く、コストを削減することができる。
【００１６】
また、運用中のトラフィックを利用して負荷試験フレームを生成・送出するため、装置保守者が試験時に負荷トラフィックレートのみを設定するだけでよく、ネットワークテストツール（負荷試験機）使用時に発生していた人手による複雑なトラフィックフレームの設定の手間や、該設定の人為的ミスを減少させることができ、試験作業の効率向上と試験結果の品質向上を図ることができる。
【００１７】
また、ネットワークテストツール（負荷試験機）使用時に発生していた物理的な回線の接続替えを行う必要がないことから、通常のサービス運用を継続すべきパスに影響を与えることなく、負荷試験を実施することができる。
【００１８】
また、保守者操作用端末から設定した特定の試験パターンの試験フレーム又はエラーフレームを、通常トラフィックのフレーム間に挿入して負荷トラフィックの生成・送出することにより、任意の試験パターンの試験フレームやエラーフレームを挿入した負荷試験を行うことができる。
【００１９】
また、メモリに蓄えられた運用中の入力トラフィックフレームの中から、保守者操作用端末で設定された入力トラフィックフレームを選択して読み出すメモリ監視部を設けたことにより、装置保守者が負荷試験で使用するトラフィックフレームを、運用中のトラフィックの中から任意に選択することができ、装置保守者が試験データの再設定を行うことなく、試験負荷トラフィックの生成・送出を行うことができる。
【００２０】
また、運用中の入力トラフィックフレームの他の対向装置への中継を停止する調停部を備えることにより、運用中の入力トラフィックレートに左右されないトラフィックレートで負荷試験を実施することができる。
【発明を実施するための最良の形態】
【００２１】
図１は本発明の第１の実施形態の中継装置の構成を示す。同図において、保守者操作用端末１は、保守者がコマンドラインインタフェース等を使用して中継装置を操作する端末であり、ユーザインタフェース部５は、保守者操作用端末１の操作情報を処理して中継装置内部に通知し、また、中継装置内の情報を処理して保守者操作用端末１に通知する機能を有する。
【００２２】
受信回線インタフェース部２は、対向装置から受信された入力トラフィックを、フレームコピー部７及び通常トラフィック中継ルート６上のレイヤ２スイッチ（Ｌ２ＳＷ）エンジン４に出力する。フレームコピー部７は、受信回線インタフェース部２より入力される対向装置からのトラフィックフレームを複写してメモリ８に書き込む。メモリ８への書き込みは、該中継装置の運用中は常時行うものとする。
【００２３】
装置保守者が負荷試験を行う際に、負荷レート及び負荷試験開始コマンドを保守者操作用端末１より発行する。該負荷レートの設定値及び負荷試験開始コマンドは、ユーザインタフェース部５からメモリ制御部９に通知される。メモリ制御部９は、負荷試験開始コマンドの通知により、トラフィック監視部１０で検出される出力トラフィックのレート値の収集を開始し、該収集した出力トラフィックレート値と負荷レートの設定値と現在のメモリ８の読み出しタイミングとを基に、メモリ８の次の読み出しタイミングを算出し、その読み出しタイミングで、メモリ８に蓄えられている現存トラフィックのフレームの読み出しを開始する。なお、メモリ制御部９で算出されるメモリ読み出しタイミングは、通常トラフィックのレートが変化する度に再計算を行い、新たなメモリ読み出しタイミングが決定される。
【００２４】
調停部１１は、メモリ８から読み出したトラフィックフレームを、運用中の通常トラフィックの送出との調停制御を行いながら、通常トラフィックのフレーム間に挿入して負荷試験トラフィックを生成する。該生成された負荷試験トラフィックは、送信回線側インタフェース部３から対向装置へ出力される。
【００２５】
図５に本発明により生成された負荷試験トラフィックの一例を示す。同図の（ａ）は、対抗装置から受信回線インタフェース部２に受信される入力トラフィックフレームの例を示している。同図の（ｂ）は、メモリ８から読み出されたトラフィックフレームの一例を示している。同図の（ｃ）は、調停部１１により調停制御され、メモリ８から読み出したトラフィックフレームが、運用中の通常トラフィックのフレーム間に挿入されて生成される負荷試験トラフィックを示している。
【００２６】
ここで、受信回線インタフェース部２に受信される入力トラフィックフレームのレートが、伝送帯域の１０パーセントを占有するレートであったとする。そして、負荷試験トラフィック設定レートが、伝送帯域の３０パーセントを占有するレートであった場合、差分の２０パーセントの分のトラフィックをメモリ８から読み出し、調停部１１で入力トラフィックフレームの間に挿入して、３０パーセント帯域を占有するレートの負荷試験トラフィックを生成する。
【００２７】
このような構成により、装置保守者が負荷レート設定値及び負荷試験開始コマンドを保守者操作用端末１から設定すると、中継装置において、サービス運用中のトラフィックを利用して試験フレームを生成することにより、例えば、キャリアのネットワーク用開通試験や障害切り分け試験等において、ネットワークツール（負荷試験機）を用いることなく、負荷試験を実施することができる。
【００２８】
図２は本発明の第２の実施形態の中継装置の構成を示す。図中、保守者操作用端末１、受信回線インタフェース部２、送信回線インタフェース部３、レイヤ２スイッチ（Ｌ２ＳＷ）エンジン４、ユーザインタフェース部５は、フレームコピー部７、メモリ８、メモリ制御部９、トラフィック監視部１０、調停部１１は、前述の本発明の第１の実施形態におけるものと同様の機能を有する。装置保守者が負荷試験を行う際に、負荷レート設定値、試験パターン及び負荷試験開始コマンドを保守者操作用端末１より発行する。
【００２９】
保守者操作用端末１により発行された負荷試験開始コマンド及び試験パターンは、ユーザインタフェース部５からフレーム制御部１２に通知される。フレームコピー部７は、受信回線インタフェース部２から入力される対向装置からのトラフィックフレームをフレーム制御部１２に格納する。フレーム制御部１２は格納されたフレーム中の通信データ部分（図８参照）を識別し、通知された試験パターンを通信データ部分へ書き込んだ後、該試験パターンを含むフレームをメモリ８へ書き込む。
【００３０】
前述の負荷試験開始コマンド及び試験パターンがユーザインタフェース部５からフレーム制御部１２に通知されるのと同時に、負荷レート設定値及び負荷試験開始コマンドがユーザインタフェース部５からメモリ制御部９に通知される。メモリ制御部９は、負荷試験開始コマンドの通知により、トラフィック監視部１０で検出される出力トラフィックのレート値の収集を開始し、収集したレート値と負荷レート設定値と現在のメモリ８の読み出しタイミングとを基に次の読み出しタイミングを算出し、該読み出しタイミングでメモリ８からトラフィックフレームの読み出しを開始する。なお、メモリ制御部９で算出するメモリ読み出しタイミングは、通常のトラフィックのレートが変化すると再計算を行い、新たなメモリ読み出しタイミングが決定される。
【００３１】
調停部１１は、メモリ８から読み出したトラフィックフレームを、運用中の通常トラフィックの送出との調停制御を行いながら、通常トラフィックのフレーム間に挿入して負荷試験トラフィックを生成する。該生成された負荷試験トラフィックは、送信回線インタフェース部３から対向装置へ出力される。生成される負荷試験トラフィックは、図５（ｃ）に示した例と同様のものとなる。
【００３２】
このような構成により、装置保守者が負荷レート設定値、試験パターン及び負荷試験開始コマンドを保守者操作用端末１から設定すると、中継装置において、図８のフレームフォーマット中の通信データ部分に該試験パターンを挿入した試験フレームを生成することにより、例えば、キャリアのネットワーク用開通試験や障害切り分け試験等において、ネットワークツール（負荷試験機）を用いることなく、装置保守者が設定した任意の試験パターンの試験フレームを用いた負荷試験を実施することができる。
【００３３】
次に本発明の第３の実施形態の中継装置について説明する。本発明の第３の実施形態は、図２に示す中継装置において、装置保守者が負荷試験を行う際に、負荷レート設定値、エラー設定情報及び負荷試験開始コマンドを保守者操作用端末１により発行する。保守者操作用端末１から発行された負荷試験開始コマンド及びエラー設定情報はユーザインタフェース部５からフレーム制御部１２に通知される。
【００３４】
フレームコピー部７は、受信回線インタフェース部２より入力される対向装置からのトラフィックフレームをフレーム制御部１２に格納する。フレーム制御部１２は格納されたフレームに対し、装置保守者が設定したエラー設定情報に従ってエラーフレームを生成し、該エラーフレームをメモリ８へ書き込む。
【００３５】
上述の負荷試験開始コマンド及びエラー設定情報がユーザインタフェース部５よりフレーム制御部１２に通知されるのと同時に、負荷レート設定値及び負荷試験開始コマンドがユーザインタフェース部５よりメモリ制御部９に通知される。メモリ制御部９は、負荷試験開始コマンド通知により、トラフィック監視部１０で検出される出力トラフィックのレート値の収集を開始し、収集したレート値と負荷レート設定値と現在のメモリ８の読み出しタイミングとを基に次の読み出しタイミングを算出し、該読み出しタイミングでメモリ８内のトラフィックフレームの読み出しを開始する。なお、メモリ制御部９で算出するメモリ読み出しタイミングは、通常のトラフィックレートが変化すると再計算を行い、新たなメモリ読み出しタイミングが決定される。
【００３６】
調停部１１は、メモリ８から読み出したトラフィックフレームを、運用中の通常トラフィックの送出との調停制御を行いながら、通常トラフィックのフレーム間に挿入して負荷試験トラフィックを生成する。該生成された負荷トラフィック（エラーフレームを含む）は、送信回線インタフェース部３から対向装置へ出力される。生成される負荷試験トラフィックは、図５（ｃ）に示した例と同様のものとなる。
【００３７】
この構成により、装置保守者が負荷レート設定値、エラー設定情報及び負荷試験開始コマンドを保守者操作用端末１から設定すると、中継装置において、図８のフレームフォーマット中のＦＣＳ（Frame Check Sequence）部にエラーを含むフレームを生成することにより、例えば、キャリアのネットワーク用開通試験や障害切り分け試験等において、ネットワークツール（負荷試験機）を用いることなく、ＦＣＳエラー検出機能の確認を含む負荷試験を実施することができる。
【００３８】
図３は本発明の第４の実施形態の中継装置の構成を示す。図中、保守者操作用端末１、ユーザインタフェース部２、送信回線インタフェース部３、レイヤ２スイッチ（Ｌ２ＳＷ）エンジン４、ユーザインタフェース部５、フレームコピー部７、メモリ８、メモリ制御部９、トラフィック監視部１０、調停部１１は、前述の本発明の第１の実施形態におけるものと同様の機能を有する。
【００３９】
本発明の第４の実施形態は、メモリ８を常時監視するメモリ監視部１３を備える。装置保守者は負荷試験行う際に、メモリ８に書き込まれ、メモリ監視部１３で監視されるトラフィックフレームの中から負荷試験に用いるフレームを任意に選択し、該フレームの情報、負荷レート及び負荷試験開始コマンドを保守者操作用端末１より発行する。
【００４０】
装置保守者が設定した負荷レートの設定値、負荷試験開始コマンド及びメモリ内のフレームの情報が、ユーザインタフェース部５からメモリ制御部９に通知される。メモリ制御部９は、負荷試験開始コマンドの通知により、トラフィック監視部１０で検出される出力トラフィックのレート値の収集を開始し、収集したレート値と負荷レート設定値と装置保守者が選択したフレームのメモリ８からの読み出しタイミングとを基に、次の読み出しタイミングを算出し、該算出した読み出しタイミングで、装置保守者が選択したトラフィックフレームの読み出しを開始する。なお、メモリ制御部９で算出するメモリ読み出しタイミングは、通常トラフィックのレートが変化すると再計算を行い、新たなメモリ読み出しタイミングが決定される。
【００４１】
調停部１１は、メモリ８から読み出したトラフィックを、運用中の通常トラフィックの送出との調停制御を行いながら、通常トラフィックのフレーム間に挿入して負荷試験トラフィックを生成する。該生成された負荷トラフィックは、送信回線側インタフェース部３から対向装置へ出力される。生成される負荷試験トラフィックは、図５（ｃ）に示した例と同様のものとなる。
【００４２】
この構成により、例えば、キャリアのネットワーク用開通試験や障害切り分け試験等において、装置保守者がサービス運用中のトラフィックから負荷試験に用いる任意のフレームを選択し、そのフレーム情報、負荷レート設定値及び負荷試験開始コマンドを設定すると、中継装置において、該選択されたトラフィックフレームを試験フレームとして生成し、ネットワークツール（負荷試験機）を用いることなく、該選択したフレームによる負荷試験を実施することができる。
【００４３】
図４は本発明の第５の実施形態の中継装置の構成を示す。図中、保守者操作用端末１、ユーザインタフェース部２、送信回線インタフェース部３、レイヤ２スイッチ（Ｌ２ＳＷ）エンジン４、ユーザインタフェース部５、フレームコピー部７、メモリ８、メモリ制御部９、トラフィック監視部１０、調停部１１は、前述の本発明の第１の実施形態におけるものと同様の機能を有する。
【００４４】
装置保守者が負荷試験行う際に、負荷レート及び負荷試験開始コマンドを保守者操作用端末１より発行すると、ユーザインタフェース部５より、負荷レート設定値及び負荷試験開始コマンドがメモリ制御部９に、また、負荷試験開始コマンドがフレームコピー部７及び調停部１１に通知される。
【００４５】
負荷試験開始コマンドの通知によりフレームコピー部７はメモリ８への書き込みを停止し、同時に調停部１１は対向中継装置から受信された入力トラフィックの後段への出力を停止する。メモリ制御部９は負荷試験開始コマンド通知により、負荷レート設定値を基に算出した読み出しタイミングで、メモリ８に蓄えられているトラフィックフレームの読み出しを開始し、負荷試験トラフィックを生成する。該負荷試験トラフィックは、回線側フレームフォーマットに変換されて対向装置へ出力される。
【００４６】
この構成により、例えば、キャリアのネットワーク用開通試験や障害切り分け試験等において、装置保守者が負荷レート設定値及び負荷試験開始コマンドを入力すると、中継装置において、サービス運用中のトラフィックフレームを利用しつつ、サービス運用中のトラフィックレートに依存しない任意のレートで負荷試験トラフィックを生成し、ネットワークツール（負荷試験機）を用いることなく、負荷試験を実施することができる。
【図面の簡単な説明】
【００４７】
【図１】本発明の第１の実施形態の中継装置の構成例を示す図である。
【図２】本発明の第２及び第３の実施形態の中継装置の構成例を示す図である。
【図３】本発明の第４の実施形態の中継装置の構成例を示す図である。
【図４】本発明の第５の実施形態の中継装置の構成例を示す図である。
【図５】本発明による負荷試験トラフィックの例を示す図である。
【図６】従来の中継装置の構成例を示す図である。
【図７】従来のネットワーク開通試験時等の試験時の接続構成を示す図である。
【図８】イーサネット（登録商標）フレームのフォーマットを示す図である。
【符号の説明】
【００４８】
１  保守者操作用端末
２  受信回線インタフェース部
３  送信回線インタフェース部
４  レイヤ２スイッチ（Ｌ２ＳＷ）
５  ユーザインタフェース部
６  通常トラフィックルート
７  フレームコピー部
８  メモリ
９  メモリ制御部
１０  トラフィック監視部
１１  調停部
１２  フレーム制御部
１３  メモリ監視部
【図１】
2006094088.tif 000003
【図２】
2006094088.tif 000004
【図３】
2006094088.tif 000005
【図４】
2006094088.tif 000006
【図５】
2006094088.tif 000007
【図６】
2006094088.tif 000008
【図７】
2006094088.tif 000009
【図８】
2006094088.tif 000010